(57)【要約】      （修正有）【課題】複数の香料容器を収容可能とした場合にも、装置の大型化を防ぐことの可能なアロマディフューザーの提供。【解決手段】香料成分が収容された複数の香料容器２０ａ，２０ｂの開口と外気とを連通する吹出経路と、前記香料成分を前記吹出経路内に放出させる複数の揮散機構と、複数の前記揮散機構を制御する制御部とを備え、前記制御部が、設定された揮散条件に基づいて複数の前記揮散機構を制御する、アロマディフューザー。また、前記揮散機構はポンプを有し、前記ポンプを駆動することで前記吹出経路に空気を送出して前記香料成分を前記香料容器から前記吹出経路内に放出させるアロマディフューザー。【選択図】図２
2019126538.tif 000002
【特許請求の範囲】
【請求項１】
香料成分が収容された複数の香料容器の開口と外気とを連通する吹出経路と、
前記香料成分を前記吹出経路内に放出させる複数の揮散機構と、
複数の前記揮散機構を制御する制御部と
を備え、
前記制御部は、設定された揮散条件に基づいて複数の前記揮散機構を制御することを特徴とするアロマディフューザー。
【請求項２】
前記揮散機構はポンプを有し、前記ポンプを駆動することで前記吹出経路に空気を送出して前記香料成分を前記香料容器から前記吹出経路内に放出させることを特徴とする請求項１に記載のアロマディフューザー。
【請求項３】
前記制御部は、前記揮散条件に基づいて、複数の前記揮散機構を独立して制御することを特徴とする請求項１または２に記載のアロマディフューザー。
【請求項４】
前記揮散条件は、所定の動作モードであり、
前記制御部は、前記動作モードごとに予め設定された揮散量比率となるように複数の前記揮散機構を駆動するように制御することを特徴とする請求項３に記載のアロマディフューザー。
【請求項５】
前記吹出経路を複数備え、
第１の揮散機構によって空気が送出され、第１の香料容器の開口と外気を連通する第１の吹出経路と、
第２の揮散機構によって空気が送出され、第２の香料容器の開口と外気を連通する第２の吹出経路と
を有することを特徴とする請求項１から３のいずれか一項に記載のアロマディフューザー。
【請求項６】
前記揮散条件は、睡眠モードでの動作であり、前記揮散機構によって前記香料成分を２時間に亘って揮散するように制御することを特徴とする請求項１から５のいずれか一項に記載のアロマディフューザー。
【請求項７】
前記揮散条件は、スケジュール機能に従って動作するスケジュール制御であって、
設定された時刻から、徐々に揮散量が低減するように前記揮散機構を制御することを特徴とする請求項１から６のいずれか一項に記載のアロマディフューザー。
【発明の詳細な説明】
【技術分野】
【０００１】
本発明は、容器内の液体中に含まれる香料成分を空間に揮散させるアロマディフューザーに関する。
【背景技術】
【０００２】
従来から、超音波振動を利用して水などの液体を霧化し、その液体中に含まれる香料成分を外部空間に揮散させるものや、送風ファンによって香料成分を外部空間に放出させるアロマディフューザーが知られている。また、特許文献１には、複数の香料容器を備え、複数の芳香をブレンドして外部に放出させる芳香装置が開示されている。
【先行技術文献】
【特許文献】
【０００３】
【特許文献１】特開２０１５−９７６９５号公報
【発明の概要】
【発明が解決しようとする課題】
【０００４】
このような状況の中で、従来のアロマディフューザーでは、ユーザが所望の芳香空間を実現することが困難であった。
【課題を解決するための手段】
【０００５】
本発明にかかるアロマディフューザーは、上記を鑑み、
香料成分が収容された複数の香料容器の開口と外気とを連通する吹出経路と、
前記香料成分を前記吹出経路内に放出させる複数の揮散機構と、
複数の前記揮散機構を制御する制御部と
を備え、
前記制御部は、設定された揮散条件に基づいて複数の前記揮散機構を制御することを特徴とする。
【発明の効果】
【０００６】
本発明によれば、複数の香料容器から香料成分を揮散させる複数の揮散機構を、設定された揮散条件に基づいて制御して、所望の揮散条件を簡易に実現することができる。
【図面の簡単な説明】
【０００７】
【図１】本発明の一実施形態に係るアロマディフューザーの斜視図。
【図２】本発明の一実施形態に係るアロマディフューザーの内部構造を示す斜視図。
【図３】本発明の一実施形態に係るアロマディフューザーの芳香制御の動作を説明する概念図。
【図４】本発明の一実施形態に係るアロマディフューザーの制御構成を示すブロック図。
【図５】本発明の一実施形態に係るアロマディフューザーの揮散量比率の制御画面の一例。
【図６】本発明の一実施形態に係るアロマディフューザーと外部機器とで構成した香料成分揮散システムの概念図。
【図７】本発明の一実施形態に係るアロマディフューザーの揮散機構の駆動シーケンスの例。
【図８】本発明の一実施形態に係るアロマディフューザーの揮散機構の拡大図。
【図９】本発明の一実施形態に係るアロマディフューザーの動作フローチャート。
【発明を実施するための形態】
【０００８】
以下、図面を参照し、本発明の実施の形態について詳細に説明する。
【０００９】
（第１実施形態）
＜全体構成＞
図１は、本発明の一実施形態にかかるアロマディフューザー１の外観を示す斜視図である。筐体１０の上部には、香料成分を空間に放出するための吹出口１１が設けられており、吹出口１１は、第１吹出口１１ａと第２吹出口１１ｂとが並んで設けられている。尚、以下の説明においては第１吹出口１１ａと第２吹出口１１ｂとをまとめて吹出口１１と呼ぶことがある。
【００１０】
詳細は後述するが、第１吹出口１１ａと連通する第１ボトル２０ａがその下部に設けられており、同様に第２吹出口１１ｂと連通する第２ボトル２０ｂがその下部に設けられている。第１ボトル２０ａから第１吹出口１１ａまでの吹出経路を含めた構造と第２ボトル２０ｂから第２吹出口１１ｂまでの吹出経路を含めた構造とは同等であるため、以下の説明においては基本的に、第１ボトル２０ａを例に挙げて説明する。尚、以下の説明においては第１ボトル２０ａと第２ボトル２０ｂとをまとめてボトル２０（香料容器）と呼ぶことがある。
【００１１】
このように配置されたボトル２０内に収容されている香料成分を、ボトル２０に隣接するように設けられた揮散機構３０によって吹出口１１から放出させることによって、アロマディフューザー１が設置される揮散空間内に香料成分を揮散させる。
【００１２】
なお、吹出口１１は、図１においては、開口が形成されているだけであるが、吹出方向を自在に変更できるノズルを設け、ユーザが所望の方向に制御可能なように構成しても良い。
【００１３】
また、本実施形態においては、ボトル２０を覆うように透明のカバー７０が設けられており、ユーザは滑り止め７０ａに触れてカバー７０を回動させて開くことでボトル２０へ触れることが可能となる。
【００１４】
＜内部構造＞
図２には、本発明の一実施形態に係るアロマディフューザー１の内部構造を示している。図２（ａ）には筐体１０を外した内部構造に関し、アロマディフューザー１におけるボトル２０が取り付けられる側（正面側）から見た斜視図を示しており、図２（ｂ）にはその反対側（背面側）から見た斜視図を示している。
【００１５】
図２（ａ）に示すように、ボトル２０の上部には、その内部に吹出経路を形成するボトルキャップ４０が設けられている。ボトルキャップ４０は、第１ボトル２０ａから第１吹出口１１ａを連通する第１吹出経路４１ａと、第２ボトル２０ｂから第２吹出口１１ｂを連通する第２吹出経路４１ｂとがそれぞれ別体に設けられている。但し、第１ボトルキャップ４０ａと第２ボトルキャップ４０ｂとを一体に形成し、その内部に例えば隔壁によって仕切った状態で第１吹出経路４１ａと第２吹出経路４１ｂとを形成しても良い。
【００１６】
第１ボトルキャップ４０ａは、第１ボトル２０ａと嵌合する構造を有し、第１ボトル２０ａと第１吹出経路４１ａとを連通する第１ボトルキャップ入口４２ａを有しており、図２（ｂ）に示す第１揮散機構３０ａを駆動することによって第１ボトル２０ａから放出された香料成分が、第１ボトルキャップ４０ａ内の第１吹出経路４１ａを通流して第１ボトルキャップ出口４３ａに到達し、筐体１０に設けられた第１吹出口１１ａから揮散空間（外気）に向けて揮散させられる。
【００１７】
なお、ボトルキャップ４０とボトルキャップ出口４３との間には、ノイズキャンセラが設けられている。ボトルキャップ出口４３からは、揮散機構３０によって生成されて吹出経路４１を通流した空気が吹き出されるため、風切り音などの騒音が生じやすい。この風切り音を低減するために、吹出口１１に近いこの場所に配置したノイズキャンセラによって逆位相の音を出すことで、効果的に吹出口１１から聞こえる風切り音を低減することができる。
【００１８】
また、風切り音に対し、ノイズキャンセルと組み合わせるか、これとは別に、１／ｆ揺らぎに相当する周波数成分となるように、所定周波数の音波を出力するスピーカーを備えても良い。この場合、ノイズキャンセラとは異なり、予め測定した駆動音（風切り音を含む）に対し出力する音波を設定しておく事が好ましい。
【００１９】
＜揮散機構＞
ここで、揮散機構３０について詳細に説明する。揮散機構３０は、上述したように、ボトル２０に収容された香料成分を、ボトルキャップ４０内の吹出経路４１に通流させて、吹出口１１から揮散空間に向けて揮散させるものであり、第１吹出経路４１ａに対応する第１揮散機構３０ａと、第２吹出経路４１ｂに対応する第２揮散機構３０ｂとを有する。
【００２０】
揮散機構３０の一例として、本実施形態においては、ダイアフラムポンプを内蔵したコンプレッサ３１とコンプレッサ３１とボトルキャップ４０とを接続する接続管３２とによって構成されており、第１揮散機構３０ａと第２揮散機構３０ｂとに対応してそれぞれ複数設けられている。また、接続管３２はシリコーンゴムやＰＶＣ（ポリ塩化ビニル）などの樹脂材料によってチューブ状に形成されており、本実施形態においては、図２（ｂ）に示している通り、第１ボトルキャップ４０ａの背面側に第２コンプレッサ３１ｂが、また、第２ボトルキャプ４０ｂの背面側に第１コンプレッサ３１ａがそれぞれ配置されるように、コンプレッサ３１の上部において、交差するように配置され、コンプレッサ３１とボトルキャップ４０とに接続されている。
【００２１】
このように接続管３２を交差して配置することによって、強度を考慮して剛性の比較的高い材質で接続管３２を形成する場合であっても、引き回すスペースを確保することができる。
【００２２】
図３には、本発明の一実施形態に係るアロマディフューザーの芳香制御の動作を説明する概念図を示している。図３に示すように、コンプレッサ３１によって発生した空気の流れが、ボトルキャップ４０に流入し、その空気の流れがボトルキャップ４０から香料容器の底面に向かって延びる吸い込み経路Ｓに対するエジェクタとして機能することによって、ボトル２０から香料成分が吹出経路４１に流入する。
【００２３】
香料成分は、霧状に吹出経路４１に流入するが、そのうち粒子径の大きいものについては、ボトルキャップ４０の外壁に衝突してそのまま落下することで逆流路４４に流入してボトル２０内に戻る。
【００２４】
吹出経路４１内を通流する香料成分は、コンプレッサ３１によって発生した空気と共にボトルキャップ４０内で迂回するように形成された吹出経路４１に沿って下流側に通流し、ボトルキャップ出口４３に到達する。その後図１に示す吹出口１１から揮散空間に向けて放出される。
【００２５】
このように形成される揮散機構３０においては、ボトル２０やコンプレッサ３１の長手方向を揃えて配置することによって省スペースな配置が可能となるが、図３に示すように、ボトル２０とコンプレッサ３１との長手方向をアロマディフューザー１の上下方向に沿って配置することが好ましい。この場合に、コンプレッサ３１とボトルキャップ４０とを接続する接続管３２をできるだけ短く構成することが好ましいが、一方で、ボトルキャップ４０に対して流入する空気の進行方向は、図３における横方向すなわち、ボトルキャップ４０における筐体１０の設置面方向に流入させることが好ましい。
【００２６】
その理由として、この設置面方向に流入させることによって、ボトルキャップ４０内においてボトル２０内の香料成分に対してエジェクタ効果を発生させやすくすると共に、ボトルキャップ４０内を上下方向に通流させながら設置面方向に空気の流れる吹出経路４１を形成することで、香料成分の気液分離を行いやすくすることができる。
【００２７】
そのため、接続管３２の経路は、図３に示すように筐体１０の側方から見た際に直角に折れ曲がるように形成することが好ましい。その場合に、接続管３２の強度（剛性）などを考慮したＲを形成すると、Ｒを大きくとる必要が生じるが、本実施形態においては、図２（ｂ）に示すように、第１ボトルキャップ４０ａの背面側に第２コンプレッサ３１ｂが、また、第２ボトルキャプ４０ｂの背面側に第１コンプレッサ３１ａがそれぞれ配置されるように、コンプレッサ３１の上部において、交差するように配置することで、接続管３２の配置スペースを低減することができる。
【００２８】
これは３つ以上のボトル２０を取り付け可能に構成した場合においても同様であり、各コンプレッサ３１から接続される接続管３２の接続先となるボトルキャップ４０が、隣接するコンプレッサ３１の上部に位置するボトルキャップとなるように接続することで、それぞれの接続管３２の引き回しを効率的に行うことができ、筐体１０の小型化を図ることができる。
【００２９】
以上説明したように、香料成分の揮散量は、コンプレッサ３１によって発生する空気量に比例する。換言すれば、香料成分の揮散量を、コンプレッサ３１の駆動条件（駆動電流、駆動時間）を制御することによって調整可能である。
【００３０】
＜ブロック図＞
図４は、本実施形態に係るアロマディフューザー１の制御構成を示すブロック図である。図４に示すように、ＣＰＵ（Ｃｅｎｔｒａｌ  Ｐｒｏｃｅｓｓｉｎｇ  Ｕｎｉｔ）５０、コンプレッサ３１、記憶部５１、通信ＩＦ（ＩｎｔｅｒＦａｃｅ）５２、操作部５３、表示部５４、電源部５５などを備えている。
【００３１】
ＣＰＵ５０は、アロマディフューザー１の各部全体を統括して制御を行う制御部である。なお、図４においては各構成がＣＰＵ５０とのみ接続されているが、バスを通じてそれぞれが接続されて直接信号のやり取りを行うように構成しても良い。
【００３２】
記憶部５１は、ＲＯＭやＲＡＭなどの記憶デバイスによって構成されており、ＣＰＵ５０が各部を制御するために必要な各種プログラムや制御処理に必要なデータ等が記憶されている。例えば、コンプレッサ３１の駆動制御のために必要なデータ以外にも、後述する通信ＩＦ５２や表示部５４を制御するために必要なデータ等も記憶されており、ＣＰＵ５０はこれらのデータを利用して通信ＩＦ５２や表示部５４を制御する。
【００３３】
通信ＩＦ５２は、外部機器との間で通信を行うためのインターフェースであり、各無線通信規格に対応した無線モジュールや、有線接続するためのＬＡＮコネクタやＵＳＢコネクタなどである。
【００３４】
表示部５４は、アロマディフューザー１の動作状態などをユーザに通知すべく、筐体１０に設けられたＬＣＤなどのディスプレイやＬＥＤなどのインジケータである。アロマディフューザー１の動作モード（コンプレッサ３１の動作状態）に応じた表示態様になるようにＣＰＵ５０が表示部５４を制御することによってユーザがアロマディフューザー１の動作モードを把握しやすくなる。また、動作モード以外にも、電源のオン、オフ状態や、通信ＩＦ５２での通信状態を表示しても良い。
【００３５】
操作部５３は、ユーザがＣＰＵ５０に対してアロマディフューザー１の動作モードの制御指示などを入力するためのインターフェースであり、一例としては、筐体１０の外表面に配置されたタクトスイッチなどである。また、ＬＣＤなどのディスプレイや機能を示したデザインなどの上に貼り付けたタッチパネルによって構成しても良い。
【００３６】
電源部５５は、電池やＡＣアダプタによって構成される電源に接続される電源回路であり、各部に対して必要な電力を生成して供給するものである。そのため、図４においては、電源部５５はＣＰＵ５０にのみ接続されているが、実際には各部に対して接続されており、各部の駆動に必要な電力を供給している。ＣＰＵ５０によってそれらの電力供給の制御を行うように構成しても良い。また、電池としては本体に内蔵される内蔵電池などでも良いし、ＵＳＢケーブルなどによって接続されるモバイルバッテリのような外部電池でも良い。なお、電池を内蔵するように構成する場合には、その充電のための機構は特に限定されない。たとえばＵＳＢケーブルなどによって供給された電流によって充電されるようにしても良いし、無線給電などによって充電可能な充電回路を有しても良い。
【００３７】
＜動作モード：タイマー制御モード＞
以下、ＣＰＵ５０によって制御されるアロマディフューザー１の動作モードについて説明する。本実施形態に係るアロマディフューザー１は、動作モードの一例としてタイマー制御モードを有する。
【００３８】
ＣＰＵ５０に対し、タイマー制御モードでの動作指示およびタイマー駆動の設定時間情報が、操作部５３に対する操作入力または外部装置から通信ＩＦを介して送信された動作指示に基づいて入力されると、ＣＰＵ５０がアロマディフューザー１をタイマー制御モードに設定する。ＣＰＵ５０は、その内部にタイマー機能を有しており、設定された動作時間の間、コンプレッサ３１を駆動することによってボトル２０内の香料成分を揮散空間に揮散させるための制御を行う。
【００３９】
また、ＣＰＵ５０とは別にタイマーを有するように構成しても良く、その場合、タイマーによってカウントした時間をＣＰＵ５０が取得するように構成すれば良い。
【００４０】
タイマー制御モードの動作の一例としては、ユーザが就寝時に筐体１０の操作部５３または外部装置のＵＩ上で、就寝通知機能を持つキー入力を行う。就寝通知を受け取ったＣＰＵ５０は、そこから、設定されたタイマー動作時間に亘ってコンプレッサ３１を駆動することで、揮散空間（この場合ユーザが寝る寝室）内に香料成分を揮散させる。
【００４１】
一般に、就寝時の覚醒状態から睡眠状態への入眠潜時として、３０分を上回る場合に寝つきが悪いとされているが、気持ちの良い熟眠感を得るためには、ノンレム睡眠のうち、終夜睡眠ポリグラフ検査などによって出現する脳波の特徴として周波数の低い成分（徐波成分）が中心となる徐波睡眠と呼ばれる睡眠状態を、入眠潜時の経過後に得ることが必要とされている。すなわち、入眠潜時および徐波睡眠の合計経過時間として、タイマー動作時間の一例として２時間程度に亘って香料成分を揮散させることで、好適な徐波睡眠の確保が期待できることとなる。
【００４２】
この場合、タイマー動作時間の経過後に、コンプレッサ３１の駆動を即時停止しても良いが、タイマー動作時間中の駆動に比べて徐々に香料成分の揮散が低減していくように段階的に制御するなどしても良い。
【００４３】
さらに、ＣＰＵ５０によって設定されるタイマー動作時間に対しては、上記の２時間を一例として、下記で説明するように時計機能を有し、起床時間が予め設定されていれば、就寝通知を受け取った時点からの残り時間を計算し、それが所定の時間よりも短い場合には起床時間まで香料成分を揮散し続けるように制御しても良い。
【００４４】
また、タイマー動作時間については、ユーザが動作指示の入力時に設定可能としても良く、その場合例えば分単位で所望の時間を設定できるようにしても構わないが、上述した徐波睡眠時間を確保するためには、所定の時間（上記の例であれば２時間）以上の設定が必要であることをユーザに対して通知するか、所定の時間未満の時間設定が不可能であるように構成しても良い。
【００４５】
以上説明したような動作を実行する専用の揮散モードとして、「睡眠モード」を実行することを、操作部５３や外部機器の操作部によって指示可能に構成することが好ましい。すなわち、「睡眠モード」での動作の実行を入力されると、予め設定された所定の時間に亘って駆動することが好ましい。
【００４６】
＜動作モード：スケジュール制御モード＞
本実施形態に係るアロマディフューザー１は、動作モードの一例としてスケジュール制御モードを有する。
【００４７】
ＣＰＵ５０に対し、スケジュール制御モードでの動作指示およびスケジュール設定情報が、操作部５３に対する操作入力または外部装置から通信ＩＦ５２を介して送信された動作指示に基づいて入力されると、ＣＰＵ５０がアロマディフューザー１をスケジュール制御モードに設定する。ＣＰＵ５０は、その内部に時計機能を有しており、設定された時間帯の間、コンプレッサ３１を駆動することによってボトル２０内の香料成分を揮散空間に揮散させるための制御を行う。
【００４８】
また、ＣＰＵ５０とは別に時計機能を有する電装部品である時計部を設けても良く、その場合、ＣＰＵ５０が時計部と通信することで時間情報を取得するように構成すれば良い。
【００４９】
スケジュール制御モードの動作の一例としては、まず、ユーザが筐体１０の操作部５３または外部装置のＵＩ上で、就寝予定時刻の設定を行う。ＣＰＵ５０は、その就寝予定時刻に従って、自動的に揮散時刻の設定を行う。その揮散時刻の間、コンプレッサ３１を駆動することで、揮散空間（この場合ユーザが寝る寝室）内に香料成分を揮散させる。
【００５０】
揮散時刻の一例として、上述した徐波睡眠への導入を良くするために、就寝開始時よりも予め設定された時間（予備揮散時間）だけ前に香料成分の揮散を開始し、就寝開始時から予め設定された時間（本揮散時間）だけ香料成分を揮散して終了することが考えられる。この場合、実際にユーザが就寝する前の覚醒状態下で香料成分を揮散空間に揮散することになり、ユーザが就寝開始するまでにも、徐波睡眠の確保に向けて香料成分の効果をユーザに享受させることができる。また、実際の就寝予定時刻に前後して就寝する場合にも、香料成分の効果を享受させることができる。
【００５１】
なおこの場合に、実際にユーザが就寝する際に、筐体１０の操作部５３または外部装置のＵＩによってＣＰＵ５０に就寝通知を行うことによって、ＣＰＵ５０は、予備揮散時間や本揮散時間を補正しても良い。
【００５２】
その結果、就寝開始後の徐波睡眠を得るのに好適な時間に亘って香料成分を揮散させることができる。なお、ここで説明した就寝開始とは、覚醒状態のユーザが布団などの寝具に横たわり、睡眠を開始する時刻のことを言う。すなわちその時刻から入眠潜時の経過後に睡眠状態への入眠が行われる。
【００５３】
スケジュール制御モードでの動作時における各揮散時間の一例としては、予備揮散時間を１時間、本揮散時間を２時間とすることで、徐波睡眠を得るのに好適な時間に亘って香料成分の揮散を行うことができる。また、この動作モードにおいては、予備揮散時間の存在によって上述したタイマー制御モードに比べて本揮散時間を短くすることも可能であり、例えば予備揮散時間を１時間、本揮散時間を１．５時間とすることで、先の例よりも短い駆動時間で徐波睡眠を得ることができ、省エネの観点からも好適である。
【００５４】
また、使用する香料成分にもよるが、就寝開始前のみに香料成分の揮散を行いたい場合には、予備揮散時間を１時間、本揮散なし（本揮散時間０時間）と設定することも可能である。
【００５５】
また、同様に、就寝開始後のみに香料成分の揮散を行いたい場合には、予備揮散なし（予備揮散時間０時間）、本揮散時間１時間と設定することも可能である。
【００５６】
なお、各揮散時間については一例であり、必ずしもこの時間でなくても良い。また、徐波睡眠の確保を目的として香料成分を揮散さえる場合には、例えばオレンジスイートなどのリラックス効果のある香料成分を使用することが好適である。
【００５７】
また、複数のボトル２０から香料成分を揮散可能なようにアロマディフューザー１を構成した場合には、予備揮散時間と本揮散時間とで揮散させる香料成分を切り替えても良い。
【００５８】
また、スケジュール制御モードの動作の他の例として、上述した例における就寝予定時刻の設定を起床予定時刻に変更するか、就寝予定時刻に加えて起床予定時刻の設定をすることも可能である。
【００５９】
この場合、まず、ユーザが筐体１０の操作部５３または外部装置のＵＩ上で、起床予定時刻の設定を行う。ＣＰＵ５０は、その起床予定時刻に従って、自動的に揮散時刻の設定を行う。その揮散時刻の間、コンプレッサ３１を駆動することで、揮散空間（この場合ユーザが寝る寝室）内に香料成分を揮散させる。
【００６０】
揮散時刻の一例として、起床予定時刻よりも予め設定された時間（起床前時間）に亘って香料成分を揮散させ、そのまま起床予定時刻から予め設定された時間（起床後時間）に亘って香料成分を揮散せるように制御する。
【００６１】
スケジュール制御モードでの動作時における各揮散時間の一例としては、起床前時間を１時間、起床後時間を１時間とすることが好適であり、さらに、寝覚めに良いとされるミントやローズマリーに代表されるハーブ系の香料成分を揮散させることが好適であるが、複数のボトル２０から香料成分を揮散可能なようにアロマディフューザー１を構成した場合には、起床前時間と起床後時間とで揮散させる香料成分を切り替えても良い。また、起床前時間と起床後時間とで、揮散させる香料成分の種類が同じ場合でも異なる場合でも、例えば起床後時間の方が揮散させる香料成分の揮散量が多くなるように制御しても良い。この制御によれば、起床前にユーザの眠りを浅くさせつつ、起床後にはユーザの寝覚めをより促進させることができる。
【００６２】
また、起床前のみに香料成分の揮散を行いたい場合には、起床前時間を１時間、起床後時間を０時間と設定することも可能である。同様に、起床後のみに香料成分の揮散を行いたい場合には、起床前時間を０時間、起床後時間を１時間と設定することが可能である。
【００６３】
以上説明したスケジュール制御モードにおいて、複数の香料成分を揮散可能なように２つのボトル２０から香料成分を揮散可能にした場合には、設定された就寝予定時刻から起床予定時刻までの間において、就寝予定時刻前後においては一方のボトル２０（例えばリラックス効果のある香料成分）からの揮散量を多くし、起床予定時刻前後においては他方のボトル２０（例えば寝覚めに良いとされる香料成分）からの揮散量を多くするように、段階的に駆動制御しても良い。
【００６４】
この場合、必ずしも連続して香料成分を揮散し続ける必要はなく、例えば就寝予定時刻から起床予定時刻までの間が６時間であれば、就寝予定時刻からの２時間は一方のボトル２０から香料成分を多く揮散させ、２時間はいずれの香料成分も揮散させないようにコンプレッサ３１の駆動を停止し、起床予定時刻までの２時間は他方の香料成分を多く揮散させるように停止制御を挟んでも良い。
【００６５】
他の例としては、就寝予定時刻の３０分〜６０分前は、リラックス系の香料成分を揮散させ、そこから就寝予定時刻が近づくにつれて睡眠系の香料成分を強くしていくなどの制御も可能である。
【００６６】
他の例としては、就寝予定時刻からは一方の香料成分の揮散量が時間ｔ１かけて徐々に弱くなるように揮散させ、起床予定時刻からは他方の香料成分の揮散量が時間ｔ２かけて徐々に強くなるように制御しても良い。この場合、各期間において徐々に増減する間に、所定時間一定の揮散量を維持するように制御しても良い。このように制御すれば、例えば就寝予定時刻から一定期間は比較的揮散量を多くして香料成分を多くユーザに対して供給しつつ、実際に睡眠状態への移行（入眠）が起こる頃には、香料成分を揮散しつつも揮散機構３０などの駆動音を低減することができ、ユーザの睡眠を妨げにくくすることができる。また、起床予定時刻から徐々に揮散量を多くすることによって、睡眠状態のユーザに対して急激な刺激を与えて起床を促すのではなく、徐々にユーザへの刺激を強くしていくことにより起床時のユーザのストレスを低減できる。なお、徐々に増減するように説明したが、段階的に増減するものも含まれる。
【００６７】
当然、上述したように、就寝予定時刻前からの揮散と起床予定時刻後の揮散を行うように制御しても良い。また、２つの香料成分に限らず、３つ以上のボトル２０をアロマディフューザー１に搭載可能に構成し、それらに対して上記のように、揮散量を徐々に増減させるように制御しても良い。
【００６８】
なお、就寝予定時刻や起床予定時刻については、記憶部５１に予め推奨設定が格納されており、それを使用しても良い。
【００６９】
さらに、スケジュール制御モードの他の例として、カレンダー機能を有していても良い。すなわち、平日（月〜金）は、午前６：００に覚醒系アロマを揮散し、週末（土日）は、午前８：００に覚醒系アロマを揮散するようにＣＰＵ５０によって制御する。この場合、ＣＰＵ５０などのアロマディフューザー１が有するカレンダーや外部機器のカレンダーと連動し、祝祭日も上記の週末同様に午前８：００に揮散されるようにしても良い。
【００７０】
以上説明したような動作を実行する専用の揮散モードとして、「睡眠モード」を実行することを、操作部５３や外部機器の操作部によって指示可能に構成することが好ましい。
【００７１】
＜動作モード：外部制御モード＞
また、本実施形態に係るアロマディフューザー１は、動作モードの一例として外部制御モードを有する。このモードにおいては、アロマディフューザー１の動作に関する制御指示を全て通信ＩＦ５２で接続された外部機器から行い、その制御指示を受けたＣＰＵ５０によって各部を動作させる。
【００７２】
その一例としては、スマートフォンなどに代表される携帯端末上で動作するアプリケーションソフトウェアから、通信ＩＦ５２を介してＣＰＵ５０に対して制御指示を送信する。
【００７３】
一例としては、外出先からスマートフォンなどの外部機器のＵＩ上で設定した帰宅時刻をアロマディフューザー１に対して送信する。帰宅時刻の設定は、ＵＩ上で設定した実際の時刻でも良いし、送信時に残り時間を送信して、それを受け取ったＣＰＵ５０が現在の時刻から算出しても良い。
【００７４】
帰宅時刻を取得したＣＰＵ５０は、帰宅時刻から予め設定された時間（帰宅前時間）だけ前の時刻から香料成分の揮散を開始するように制御する。なお、帰宅時刻の設定と同時に、帰宅前時間の設定を行えるようにしても良い。
【００７５】
なお、揮散させる香料成分の一例としては、花粉症に効果があるとされるユーカリやティートリー、ペパーミントなどの香料成分を帰宅前時間に亘って揮散空間（この場合リビングなどの居住空間）に揮散させておくことができる。この場合には、帰宅時刻の設定と同時に、外部機器のＵＩ上で、「花粉症モード」などの揮散モードを指定することによって、それを受け取ったＣＰＵ５０が、対応する香料成分を揮散するように複数の揮散機構３０から選択して駆動制御するように構成しても良い。例えば、「花粉症モード」以外にも「リラックスモード」などの揮散モードを有する場合には、外部機器のＵＩ上からユーザが簡易に揮散モードを選択することが可能となる。
【００７６】
揮散させる香料成分については、外部機器のＵＩ上で上記のように揮散モードを選択させるようにしても良いし、香料成分を直に選択させるように構成しても良い。なお、いずれの場合であっても、複数のボトル２０の香料成分を組み合わせて揮散させることで所望の揮散モードを実現するようにしても良い。
【００７７】
なお、この動作モードを実行可能にする場合には、アロマディフューザー１に操作部および表示を設けなくても良く、外部機器における操作部や表示部などのＵＩによってユーザへの報知を行うようにすれば良い。
【００７８】
また、外部制御モードについては、他の動作モードと組み合わせても良く、例えば、スマートフォン上で動作するアプリケーションから、「睡眠改善」や「リラックス」などの特定の目的情報が入力された場合に、ＣＰＵ５０が記憶部５１に記憶された動作条件を呼び出して、目的情報に基づいて動作条件（タイマー駆動の設定時間情報やコンプレッサ３１の駆動電流、駆動時刻など）を自動的に生成しても良い。一例として、風邪や花粉症に由来する咳で眠れないときに、ユーザが「風邪対策」などの揮散モードを選択することで、ＣＰＵ５０は、それまで揮散していた睡眠系アロマ（ラベンダー・オレンジスイートのブレンドオイル）の揮散に加えて、呼吸器系アロマ（ユーカリ・ティーツリーなど）を揮散させるようにコンプレッサ３１を制御しても良い。
【００７９】
また、外部機器の例としては、携帯端末に限らず、ＡＩスピーカーなどの据置装置でも良い。いずれの場合であっても、上述したような外部からの入力を音声入力などのＵＩによって実現しても良い。また、必ずしもユーザが能動的に入力するものにも限らず、玄関や部屋にユーザが進入したことを人感センサやドアの開閉センサなどによって検知し、その検知信号を受け取ったＣＰＵ５０が、検知信号ごとに対応して予め設定された揮散モードで香料成分を揮散させるように構成しても良い。また、検知信号に限らず、ユーザが持ち運んでいる携帯端末の位置情報などを用いて、アロマディフューザー１との距離や動線分析によって帰宅途中であることを判定して、揮散モード、揮散動作を切り替えるように構成しても良い。
【００８０】
また、外部機器の他の例として、ユーザの活動量を計測する活動量計等であっても良い。例えば活動量計として睡眠センサを使用した場合には、睡眠センサの出力結果によってユーザが深い睡眠（徐波睡眠）に到達するまでは、駆動開始時から強モード（第１モード）での揮散を行い、徐波睡眠に到達してからは、弱モード（第２モード）に移行するもしくは揮散を停止するように制御することができる。この構成によれば、ユーザに深い睡眠を促すと共に、省エネや香料成分の節約が可能となる。なお、必ずしも深い睡眠まで継続して強モードでの駆動を続ける必要はなく、所定時間が経過するか、深い睡眠以外の睡眠状態などの所定の睡眠状態に到達した時点で弱モードへ切り替えるなどの制御を行っても良い。
【００８１】
また、活動量計との連動の他の例として、活動量計の動作に連動して揮散機構３０の動作が行われるように制御しても良い。活動量計として、スマートフォン上で動作する睡眠分析アプリを例に挙げる。ここで睡眠分析アプリとは、スマートフォンに内蔵されているマイクで寝返りに伴う音や衣擦れの音、寝息の音などを取得することで睡眠分析を行うアプリなどの総称である。これにはマイク以外の各センサを用いるものも含まれる。
【００８２】
この睡眠分析アプリにおいて、睡眠分析動作をオンに設定すると、睡眠分析が開始されるが、それと連動して本実施形態に揮散機構３０の動作を開始するように構成しても良い。具体的には、通信ＩＦ５２によってスマートフォンＳＰとの通信が可能な状態となったアロマディフューザー１に対し、睡眠分析アプリからオン信号が送信される。オン信号を受信したことをＣＰＵ５０によって検出すると、ＣＰＵ５０は、予め設定された揮散条件（駆動条件）によって揮散機構３０を駆動し、香料成分の揮散を開始する。この揮散条件は、睡眠モードとして記憶部５１などに記憶されているものであっても良いし、スマートフォンＳＰから睡眠分析アプリのオン信号と共に送信される揮散条件であっても良い。
【００８３】
また、睡眠分析アプリのオフ信号に対しても同様に行っても良いし、睡眠分析アプリがリアルタイムな分析を行っている場合には、ユーザの眠りが徐々に浅くなってきたことを判定した時点で揮散機構３０の駆動を開始して香料成分の揮散を開始しても良い。ユーザの眠りの深度に反比例するように揮散機構３０による香料成分の揮散量を増やすように制御しても良い。
【００８４】
外部機器の他の例として、アロマディフューザー１が設置される揮散空間の照明の駆動状態に連動して揮散機構３０の駆動を開始するように構成しても良い。
【００８５】
例えば、アロマディフューザー１に照度センサを設け、照度が所定の光量以下となったことをＣＰＵ５０によって判断した場合に揮散機構３０の駆動を開始するように制御しても良い。この場合、アロマディフューザー１（特にＣＰＵ５０）に時計機能を設け、就寝時間前後において照度が急激に低下した場合には揮散を行うようにしても良いし、上述したスケジュール機能における揮散機構３０の駆動制御と連動して、例えば、スケジュール機能において設定した時刻の前後１時間に照度が急激に低下した場合に、揮散機構３０を駆動するように制御するなど、スケジュール機能と照度センサとを組み合わせて揮散機構３０の駆動を制御しても良い。
【００８６】
また、照度センサを使用しない場合でも、例えばスマートフォンなどの情報機器との無線通信が可能な外部機器によって揮散空間の照明のオン、オフ制御を行う場合には、そのオン、オフの制御信号を直接通信ＩＦ５２によって受信したり、オン、オフの制御信号を他の外部機器を介して受信したりすることによって、照明の駆動状態と連動して揮散機構３０の駆動制御を行うことができる。
【００８７】
なお、上記各モードにおいて説明したコンプレッサ３１の駆動制御は、電源部５５によって供給される駆動電流をオン、オフすることによって行うが、設定された動作時間に亘って常時オンさせても良いし、間欠的にオン動作させても良い。
【００８８】
＜複数の香料成分の揮散制御＞
また、本実施形態に係るアロマディフューザー１は、図１などを用いて説明したように、複数のボトル２０および揮散機構３０を有している。本実施形態においては、２つのボトル２０とそれに対応する揮散機構３０や吹出経路４１が設けられており、それらに対する制御について説明する。
【００８９】
本実施形態に係るアロマディフューザー１においては、例えば２つの香料成分の揮散量の比率を制御可能に構成されている。図５には、その制御画面の一例を示しており、表示部５４に表示しても良いし、通信ＩＦ５２を介して接続される外部機器の表示画面上に表示しても良い。本実施形態においては、通信ＩＦ５２を介して接続されたスマートフォンＳＰの表示画面からアロマディフューザー１の動作モードを制御可能に構成しており、スマートフォンＳＰで動作するアプリケーションソフトウェアがスマートフォンＳＰの表示画面に表示するＧＵＩ（Ｇｒａｐｈｉｃａｌ  Ｕｓｅｒ  Ｉｎｔｅｒｆａｃｅ）の一例を図５に示す。
【００９０】
図５において、表示画面６０の上部には、複数のボトル２０に収容されている香料成分を示す香料成分名表示部６１が設けられている。ここに表示される香料成分名は、ユーザによって予め選択されたものが表示されている。また、画面中央部には、揮散量調節部６２が設けられており、ユーザは、調節子６２ａを表示画面６０上で左右に移動させることで２つのボトル２０からの揮散量の比率を調整することができる。
【００９１】
ＣＰＵ５０は、ユーザが揮散量調節部６２において設定した揮散量の比率を、通信ＩＦ５２を介して取得すると、第１コンプレッサ３１ａと第２コンプレッサ３１ｂとの駆動電流または駆動Ｄｕｔｙの比率を変更することで設定された揮散量比率での香料成分の揮散を実現する。
【００９２】
なお、表示画面６０の下部にはモード選択部６３が設けられている。このモード選択部には、ユーザがアロマディフューザー１に対して取り付けているボトル２０の中身を組み合わせることによって実現することができる揮散モードが自動的に表示されるようになっており、図５においては、香料成分名表示部６１に表示されている「ラベンダー」と「オレンジスイート」で実現可能なモードがないことから、「通常モード」と表示されている。
【００９３】
一例として、アロマディフューザー１に対して２つ以上のボトル２０を搭載可能に構成した場合には、組み合わせて実現可能な揮散モードが増え、ユーザはモード選択部６３に表示されるモード名の中から選択することで、所望の揮散モードを選択することができる。換言すれば、ユーザがアロマディフューザー１に対して取り付けたボトル２０の香料成分名を、香料成分名表示部６１に入力しておくことで、自動的に実現可能な揮散モードがモード選択部６３に表示され、ユーザは簡易にそれらの中から揮散モードを選択することができる。香料成分名表示部６１に入力は、予め設定された香料成分名から選択可能に構成しても良い。その場合外部機器から香料成分名を取得しても良い。
【００９４】
なお、ユーザが選択した揮散モードに応じて、揮散量調節部６２に表示されている比率（図５においては「３０」と「７０」）や、その下方のボトルの模式図から滴下される水滴の大きさや、その更に下方の調節子６２ａの位置が自動的に変更されると、モード選択の結果どのような比率で香料成分が揮散されるかを視認可能となり、好適である。
【００９５】
上記例では、ユーザが選択した揮散モードに応じて自動的に揮散量調節部６２の表示が変更されたが、逆に、その状態で調節子６２ａをユーザが移動させると、揮散量の比率を調整可能であり、同時にモード選択部６３に表示されているモード名がグレーアウトするように構成すると、ユーザが調整した結果、揮散モードに対して予め設定されている比率から変更されていることを視認しやすくなる。
【００９６】
また、表示画面６０において、香料成分名表示部６１の下方には、動作可能時間表示部６４が設けられている。これは、各ボトル２０ごとに表示されており、設定されている揮散量の比率を実現するためのコンプレッサ３１の駆動条件においてどの程度連続して香料成分を揮散可能かが表示されている。この動作可能時間表示部６４は必ずしも表示されていなくても良く、後述する他の実施形態で説明するようなボトル２０内の香料成分の残量検知を行う場合に好適である。残量検知機構を有する場合には、ある駆動条件において香料成分の残量が不足していることなどをユーザに報知することが可能となる。
【００９７】
次に、複数の香料成分の揮散制御の一例として、複数のアロマディフューザー１を、１台の外部機器によって制御する場合の例を説明する。図６は、１台の外部機器と複数のアロマディフューザー１を無線通信によって接続して構成した香料成分揮散システムの概念図である。
【００９８】
外部機器の例としてスマートフォンＳＰを用いており、１台のスマートフォンＳＰによって揮散空間Ｒ内に配置された４台のアロマディフューザー１Ａ〜１Ｄを制御する。このように構成したシステムにおいて、スマートフォンＳＰの表示画面上には、揮散空間Ｒの模式図が表示されている。この揮散空間Ｒは、アロマディフューザー１同士の距離から自動的に生成されたものであっても良いし、その他の方法でユーザが設定したものであっても良い。表示画面上の揮散空間Ｒの中で、ユーザがタッチパネルをタッチすることなどで入力した対象位置Ｔを図中で網掛け表示している。この香料成分揮散システムにおいては、対象位置Ｔに対して予め設定された香料成分が多く揮散されるようにアロマディフューザー１Ａを制御し、それ以外のアロマディフューザー１Ｂ〜１Ｄについては、予め設定された香料成分がアロマディフューザー１Ａよりも少なく揮散されるか、他の香料成分が揮散されるように制御する。
【００９９】
このように複数のアロマディフューザー１を制御することによって、揮散空間Ｒ内における香料成分の分布を局所的にする、もしくは勾配を設けることができ、目的にあった香料分布環境を作成することができる。なお、どのアロマディフューザー１が揮散量を多くするかなどの制御については、スマートフォンＳＰ上で動作するアプリケーション上で設定されたパラメータ（動作条件）を各アロマディフューザー１に対して無線通信にて送信することが好ましいが、いずれかのアロマディフューザー１が有するＣＰＵ５０によって算出したものをスマートフォンＳＰ経由で他のアロマディフューザー１に送信することで行っても良い。
【０１００】
なお、本実施形態における複数の香料成分の揮散制御として、２つのボトル２０内の香料成分を同時に揮散空間に揮散させることがある。これは、２つのボトル２０内に同じ種類の香料成分を収容する場合、異なる種類の香料成分を収容する場合のいずれの場合でも実施して良い。
【０１０１】
この場合、一例として、汎用のモバイルバッテリなどを電源部５５として用いると、その給電能力（一例としてその入力電流）には限界がある。複数のコンプレッサ３１を備える場合に、同時にすべてのコンプレッサ３１に対して同時に駆動電流を供給しようとすると、電源部５５の供給能力を超えた突入電流が流れてしまい、その結果、モバイルバッテリ内のヒューズ切れてしまったり、内部の素子が故障してしまったりすることがあった。
【０１０２】
本実施形態においては、複数のコンプレッサ３１の駆動Ｄｕｔｙを一定にしつつ、駆動を切り替えながら徐々に駆動Ｄｕｔｙ時間を延ばしていくことによって、大きな突入電流が流れることを防ぎ、モバイルバッテリなどの外部電源の故障を防げるようにしている。その制御方法において、図７に２つのコンプレッサ３１を制御する場合の制御シーケンスの例を示す。
【０１０３】
図７に示すように、まず、コンプレッサ３１ａを時間ｔ１に亘って駆動する。次にコンプレッサ３１ｂを時間ｔ１に亘って駆動する。次にコンプレッサ３１ａを時間ｔ２（＞ｔ１）に亘って駆動し、以下同様に繰り返す。
【０１０４】
このように駆動することによって、コンプレッサ３１の駆動開始時に、大きな突入電流が流れることを防ぐことができる。なお、オン時間を延ばしていく過程において、コンプレッサ３１ａを時間ｔ３に亘って駆動している際に途中からコンプレッサ３１ｂの時間ｔ３に亘る駆動を開始し、さらにコンプレッサ３１ｂが時間ｔ３に亘って駆動している際に途中からコンプレッサ３１ａの駆動を開始するようにしても良い。その場合、徐々に２つのコンプレッサ３１が駆動する時間を延ばしていき、最終的に２つのコンプレッサ３１が同時に駆動Ｄｕｔｙ１００％で駆動されるように構成しても良い。また、上述したシーケンスにおいて、第１コンプレッサ３１ａと第２コンプレッサ３１ｂは、一定の時間間隔（たとえばｔ１）を維持しながら、互いに何度か反転して駆動する期間をもち、それを何周期か繰り返したあとで時間を徐々に延ばしていく（ｔ２、ｔ３…）ように構成しても良い。
【０１０５】
以上説明したように、本実施形態に係るアロマディフューザー１においては、複数のボトル２０に対する複数の揮散機構３０（コンプレッサ３１）を個別に独立して駆動制御することができ、所望の揮散量や香料成分の組み合わせを実現することができる。
【０１０６】
＜カメラを用いた複数香料の自動制御の例＞
また、アロマディフューザー１に複数の香料容器を搭載可能にした場合の他の制御態様を以下に説明する。
【０１０７】
この態様においては、アロマディフューザー１の筐体１０上部にカメラユニットを備え、そのカメラユニットによって撮影した画像内に存在するユーザを判別し、予め登録されたユーザごとの設定に従って香料成分を揮散させるように、それぞれの揮散機構３０を制御する。
【０１０８】
例えば、人物Ａを画像内に認識した場合には、香料成分Ａを揮散し、人物Ｂを画像内に認識した場合には、香料成分Ｂを揮散するように予め揮散条件が記憶部５１に記憶されている場合に、アロマディフューザー１の電源ＯＮや揮散開始を指示された時にカメラユニットによって撮影を行い、撮影された画像内に人物Ａが含まれると認識した場合には香料成分Ａを揮散するようにＣＰＵ５０によって揮散機構３０を制御する。その場合、撮影された画像内に、予め設定された人物が認識できない場合や他の人物を認識した場合には香料成分の揮散を行わないように揮散機構３０の駆動を制御しても良い。
【０１０９】
他の例としては、常時カメラユニットによる撮影を実行しておき、アロマディフューザー１の前を通過する人物が切り替わったことに応じて揮散させる香料成分を切り替えても良い。この場合でも、登録された人物以外では香料成分が揮散されないように制御することができ、いろいろな人物が通り得る通路などにアロマディフューザー１を配置した場合に、特定の人物が通過した場合のみ香料成分が揮散されるように制御することができる。
【０１１０】
なお、カメラユニットをアロマディフューザー１の筐体１０に設ける例を説明したが、必ずしもこれに限られず、他のカメラ装置による撮影結果を利用して記憶部５１に記憶された条件と照合して揮散条件を切り替えても良いし、揮散条件を切り替えるための記憶部５１とＣＰＵ５０の一部機能とを外部機器によって構成し、その外部機器から通信ＩＦによって揮散条件を受け取ったＣＰＵ５０によって揮散機構３０を制御するように構成しても良い。
【０１１１】
また、カメラユニットを設けている場合には、撮影された画像内の人物によって揮散条件が切り替わるものに限られず、例えばジェスチャ動作によってＣＰＵ５０への制御指示を行うようにしても良い。
【０１１２】
以上説明した本実施形態においては、ボトル２０を２つ備えるアロマディフューザー１にて説明を行ったが、ボトル２０については、市販される所謂アロマボトルを固定するように構成しても良い。言い換えれば、アロマディフューザー１としては、ボトル２０以外を構成するようにし、所望のボトル２０を取り付け可能に構成しても良い。
【０１１３】
また、本実施形態においては、吹出経路４１は２つのボトル２０に対応するように２つ設けていたが、これに限られない。例えば、２つのボトル２０の上部に跨って固定される単一の吹出経路を有していても良い。この場合でも、２つのボトル２０に対応した揮散機構３０を駆動することで、所望の香料成分を揮散させることができる。
【０１１４】
また、以上説明した本実施形態に係るアロマディフューザー１においては、動作状態などを示すインジケータとしてＬＥＤなどの発光部を設けることができる。この場合、特に上記「睡眠モード」を有するように構成した場合などは、ユーザの寝具の傍にアロマディフューザー１を配置することが多くなる。その場合に青色の光を照射してしまうとメラトニンの生成を抑制してしまうことで睡眠への導入が妨げられやすい。
【０１１５】
白色系のＬＥＤも同様であるため、好ましくは電球色（黄色がかった色）を用いることが好ましいが、メラトニン生成の抑制に寄与すると言われる４５０ｎｍ前後の波長帯における発光強度が小さいＬＥＤチップによって光を生成する場合には、この限りではない。また、その配置としては、図１における筐体１０の上部からボトル２０側に向かって照射するようにＬＥＤを配置することによって、ボトル２０を照射して動作中であることを明示できる一方、ユーザ側に直接光が照射されることを防ぐことができる。特に、筐体１０の前面部によってＬＥＤが隠ぺいされるようにすることでその効果を高めることができ、好適である。
【０１１６】
また、発光部としてのＬＥＤは、ユーザによる設定によって、動作中に点灯しない消灯モードを有するように構成することができる。
【０１１７】
（第２実施形態）
次に、本発明に係るアロマディフューザー１の第２の実施形態について説明する。本実施形態の基本的な構成については第１実施形態と同様であるため、異なる部分についてのみ説明する。
【０１１８】
＜ボトルの残量検知、着脱検知＞
図８は、本実施形態における揮散機構３０の要部の拡大図を示している。本実施形態においては、ボトル２０内に収容されている香料成分の量を検知するための検知構造（機能）を備えている。
【０１１９】
一例としては、ボトル２０内に挿通される複数本の電極を有し、基準となる電極とそれ以外の互いに長さの異なる電極との組み合わせで通電可能な電極を検出することによって、どの電極位置まで香料成分が満たされているかを検知することができる。この場合、香料成分として電流が流れるものである必要があるが、香料成分としては一般には植物由来の揮発性の油が用いられることが多くそれ自体には導電性を示さないものがほとんどである。その香料成分に対して導電性をもたらす不純物が混合されている場合などには好適にこの方法を用いることが可能となる。
【０１２０】
図８においては、第１電極Ｐ１が基準となる電極であり、第１電極Ｐ１と第２電極Ｐ２または第３電極Ｐ３との間での導通を検知することによって、香料成分の量を検出可能となっている。図８の状態においては、ボトル２０内の液位Ｈに対し、第１電極Ｐ１及び第２電極Ｐ２は香料成分に浸漬しており、第３電極Ｐ３は香料成分上に露出している。
【０１２１】
この状態においては、第１電極Ｐ１及び第２電極Ｐ２間では導通が取れており、香料成分がボトル２０内に存在することを検出している。それに対し、第１電極Ｐ１及び第３電極Ｐ３間では、導通が取れていないことから、第３電極Ｐ３の位置までは香料成分が存在していないことをＣＰＵ５０によって判定している。
【０１２２】
この時、第３電極Ｐ３の先端の位置としては、予め想定されるボトル２０の径に対し、上述した睡眠モードの駆動で２時間駆動するように設定されている場合に必要な量の香料成分が存在するかどうかを判定可能な位置まで延在するようになっていることが好ましい。本実施形態においては、容量１０ｍｌの香料成分が収容された内径が２０ｍｍのボトル２０に対し、睡眠モードで２時間駆動可能となることを考慮して第３電極Ｐ３の位置を設定している。
【０１２３】
具体的には、容量１０ｍｌ、内径１０ｍｍのボトルの場合、香料成分の高さは約３２ｍｍ程度であり、本実施形態の揮散機構３０によれば睡眠モードに相当する駆動条件で５０時間から７０時間（平均６０時間）で香料成分が空になるものである。この平均値６０時間を用いれば、２時間での消費量としては、ボトル２０内での高さは２×３２／６０≒１．０６（ｍｍ）程度となる。
【０１２４】
そのため、本実施形態においては、第３電極Ｐ３の位置としては、第１電極Ｐ１の先端から約１．１ｍｍ上方に位置させることによって、少なくとも睡眠モードで２時間駆動可能な香料成分の量がボトル２０内に収容されていることを検知可能としている。ただし、第３電極Ｐ３の先端位置としては必ずしもこの限りではなく、所定のボトルサイズと揮散性能を考慮して所望の位置に設定して良い。
【０１２５】
なお、取り付けるボトル２０の長さが異なる場合にも対応可能なように、電極ユニットＰ全体が上下に移動可能なように構成することが好ましい。
【０１２６】
他の例としては、静電容量式の近接センサを用いることができ、この場合、非接触でボトル２０内の残量に応じた静電容量の変化を捉え、予め記憶部５１などに記憶されたテーブルと比較することなどによってボトル２０内の香料成分の残量を検知することができる。
【０１２７】
また、他の例としては、ボトル２０の上方から下方に向かって光を照射して、ボトル２０内を透過する透過光量によってボトル２０内の香料成分の残量を検知するようにしても良い。この場合、ボトル２０では減衰せずに、ボトル２０内に収容された香料成分によって減衰する波長の光を用いることが好ましい。
【０１２８】
このようにして取得したボトル２０内の香料成分の量に基づいて、残りの駆動可能時間をユーザに対して報知することができる。また、駆動開始時に、設定された駆動時間に亘って香料成分を揮散させるのに必要な量がボトル２０内に残っていないことを検出したときに、駆動開始時にユーザへ報知するように制御することができる。
【０１２９】
また、他の例として、検知したボトル２０内の香料成分の量を、通信ＩＦ５２を介してスマートフォンＳＰに対して送信する。スマートフォンＳＰ上で動作するアプリケーションは、図５に示すように、ボトル２０内の香料成分の量に対すし、設定されているコンプレッサ３１の駆動量だとどの程度の時間連続して香料成分を揮散空間に向けて揮散可能かを算出して表示ＵＩ上に表示することができる。
【０１３０】
また、ボトル２０の残量検知構造と同様に、アロマディフューザー１にボトル２０が搭載されているかどうかを検知できるように着脱検知構造を構成しても良い。例えばボトル２０の残量検知に用いる光学センサの波長とは異なり、ボトル２０の外表面で反射する波長帯の光を用いることが好ましい。一般的に市販されているボトル２０は、紫外線等による変性を防ぐために、茶色などで形成されていることが多いが、それらの外表面で好適な反射特性を有するように赤外や近赤外などの波長を用いることが好ましい。
【０１３１】
なお、ボトル２０の残量検知構造は、例えば重量検知センサなどを用いることができ、その場合、残量検知構造と着脱検知構造を兼用できる。
【０１３２】
また、着脱検知構造を設けた場合には、ボトル２０が取り外されたことを検知すると、予め設定された端末に対して通知を行うように構成しても良い。なお、筐体１０の表示部５４やブザー（不図示）、スピーカー（不図示）によって通知を行うように構成しても良い。
また、ボトル２０がとりはずされたこと自体を検知しなくても良く、例えばボトル２０を覆うように構成したカバー７０の開閉検知センサを設け、この開閉検知センサによってカバー７０が開いたことを検知した場合に通知を行うように構成しても良い。
【０１３３】
なお、本実施形態に係るアロマディフューザー１は、コンプレッサ３１などの駆動部を設けており、筐体１０から駆動音などが漏れることがあるが、カバー７０を設けることによって、ボトル２０側から外部へ伝搬する駆動音を低減することができ、上述したような睡眠への導入時における使用にとって好適である。また、カバー７０の開閉検知センサを設けることによって、揮散開始の指示が出されたときや所定時間駆動を開始した状態でカバー７０が開いていることを検知した場合に、それを報知することができる。この構成によれば、カバー７０が半開きの状態などで駆動していて駆動音が大きく聞こえていた場合に、ユーザは、カバー７０を閉じることで駆動音の外部空間への伝搬を抑えることができることを容易に認識できる。
【０１３４】
＜動作フローチャートの例＞
ここで、以上説明した実施形態を組み合わせた例として、ボトル２０の残量検知機能を備えたアロマディフューザー１において、スケジュール制御モードを実行する場合の動作フローチャートについて図９を用いて説明する。
【０１３５】
スケジュール制御モードにおいては、ステップＳ１においてまずスケジュール設定情報が入力される。上述したように、ユーザによって筐体１０に設けられる操作部５３や通信ＩＦ５２を介して接続される外部装置から所望の設定時刻が入力される。
【０１３６】
次に、ステップＳ２において、ステップＳ１と同様の入力態様で動作条件（揮散モード）が設定される。ここで設定されるのは、ステップＳ１で設定した揮散開始時刻の前後における揮散機構３０（コンプレッサ３１）の動作であり、揮散開始時刻までに揮散機構３０をどれだけの時間に亘って駆動するかの時間設定と、強弱や駆動Ｄｕｔｙがどれくらいであるか、複数の揮散機構３０を有する場合にどのように切り替えて駆動するかの駆動設定である。また、揮散開始時刻から揮散機構３０をどれだけの時間に亘って駆動するかの時間設定と、強弱や駆動Ｄｕｔｙがどれくらいであるか、複数の揮散機構３０を有する場合にどのように切り替えて駆動するかの駆動設定についても同様に設定される。
【０１３７】
これらの動作条件については、時間設定や駆動設定を個別に設定可能なようにしても良いが、「睡眠モード」や「リラックスモード」などを図５のモード選択部６３などから選択することで、自動的に時間設定や駆動設定が設定されるように構成すると、ユーザの利便性が向上する。
【０１３８】
設定された時間設定や駆動設定に対し、ステップＳ３ではボトル２０内の香料成分の残量を検知して、足りているかどうかをＣＰＵ５０が判断する。ボトル２０内の香料成分の残量が足りていると判断した場合には、ステップＳ６に進む。ボトル２０内の香料成分の残量が足りていないと判断した場合には、ステップＳ４に進み、ボトル２０内の香料成分が不足している旨のエラー報知を行う。エラー報知するのは、ステップＳ１、Ｓ２で入力が行われた箇所に対して行うことが好ましいが、筐体１０の表示部５４と外部装置の表示画面６０の両方に対して行っても良い。
【０１３９】
ステップＳ４でエラー報知を行った後、ステップＳ５に進み、強制的に続行するかどうかの判定を行う。一例としてはユーザによっていずれかが選択されるが、所定時間に亘って選択入力がない場合には、強制的に続行すると判定しても良い。本実施形態においては、強制的に続行した場合には、コンプレッサ３１から吹出経路４１に対して空気を送出するだけであるため特に問題がなく揮散機構３０の駆動を継続できるが、駆動設定を弱めて香料成分を時間設定された時間に亘って継続的に放出可能にすることなどを「節約モード」などをユーザに入力させることによって選択可能にしても良い。
【０１４０】
ステップＳ５において、強制的に続行しないことが選択された場合には、ステップＳ２に戻り、再度モード設定をユーザに行わせる。この時、ステップＳ１に戻ってスケジュール設定からユーザに行わせるようにしても良い。
【０１４１】
ステップＳ６においては、ステップＳ１のスケジュール設定において設定された設定時刻に到達したかどうかを判定している。設定時刻に到達したと判断した場合には、ステップＳ７に進む。ステップＳ６において設定時刻に到達していないと判断した場合には、ステップＳ３に戻り、ボトル２０内の香料成分の残量検知を行う。
【０１４２】
なお、設定時刻は、ステップＳ１で設定したものであると説明したが、実際には、ステップＳ３の動作条件設定において、設定時刻から所定時間前もって香料成分の揮散を開始するように設定された場合には、その所定時間前が新たな設定時刻となっている。
【０１４３】
例えば、設定時刻の待機状態（ステップＳ３とステップＳ６とのループ状態）において、ユーザがボトル２０を一度取り外すとステップＳ４に遷移してエラー報知が行われるが、そのままユーザがボトル２０を取り付け直すことが考えられる。ここで、ステップＳ５において所定時間の経過で強制的に続行すると判定するように構成した場合には、ユーザが何も入力しなくても再度待機状態に進むことができ、ユーザの手を煩わせることなくステップＳ５での入力待ち状態で停止していることを防ぐことができる。
【０１４４】
ステップＳ７では、設定時刻に到達しているため、ステップＳ２で設定された動作条件（揮散モード）に従ってコンプレッサ３１の駆動を開始する。
【０１４５】
ステップＳ８では、ステップＳ２で設定された動作条件の終了条件が満たされているかどうかを判定し、終了条件が満たされていないと判定した場合にはステップＳ７に戻り、コンプレッサ３１の駆動を継続する。
【０１４６】
ステップＳ８で終了条件が満たされていると判定した場合には、揮散制御を終了する。
【０１４７】
以上説明したように、各実施形態におけるアロマディフューザー１は、複数の香料容器を取り付け可能であり、それに対応する複数の揮散機構３０の駆動を制御することで複数の香料容器から放出される香料を混ぜて揮散させることができる。この場合、複数の香料成分自体を混ぜるものと比較し、オイル成分の混合ムラや混合させる手間を低減することができ、利便性が向上する。
【０１４８】
（付記）
香料成分が収容された複数の香料容器と、
複数の前記香料容器の上部にそれぞれ設けられ、前記香料容器から放出された香料を外部に連通させる吹出経路と、
前記吹出経路に空気を送出することで前記香料容器から前記香料成分を前記吹出経路内に放出させる複数のコンプレッサと、
前記コンプレッサと前記吹出経路とを接続する接続管と
を備え、
前記接続管は、前記コンプレッサと隣接して配置される前記吹出経路とは異なる前記吹出経路に対して接続されることを特徴とするアロマディフューザー。
【０１４９】
前記香料容器は、第１の香料容器と第２の香料容器とを含み、
前記吹出経路は、前記第１の香料容器の上部に設けられた第１の吹出経路と、前記第２の香料容器の上部に設けられた第２の吹出経路とを含み、
前記コンプレッサは、前記第２の吹出経路と隣接して配置された第１のコンプレッサと、前記第１の吹出経路と隣接して配置された第２のコンプレッサとを含み、
前記第１のコンプレッサと前記第１の吹出経路とを接続する第１の接続管と、前記第２のコンプレッサと前記第２の吹出経路とを接続する第２の接続管とは、互いに交差するように引き回されていることを特徴とするアロマディフューザー。
【符号の説明】
【０１５０】
１  アロマディフューザー
１０  筐体
１１  吹出口
１１ａ  第１吹出口
１１ｂ  第２吹出口
２０ａ  第１ボトル
２０ｂ  第２ボトル
３０  揮散機構
３１  コンプレッサ
３２  接続管
４０ａ  第１ボトルキャップ
４０ｂ  第２ボトルキャップ
４１ａ  第１吹出経路
４１ｂ  第２吹出経路
４２ａ  第１ボトルキャップ入口
４２ｂ  第２ボトルキャップ入口
４３ａ  第１ボトルキャップ出口
４３ｂ  第２ボトルキャップ出口
４４  逆流経路
５０  ＣＰＵ
５１  記憶部
５２  通信ＩＦ
５３  操作部
５４  表示部
５５  電源部
【図１】
2019126538.tif 000003
【図２】
2019126538.tif 000004
【図３】
2019126538.tif 000005
【図４】
2019126538.tif 000006
【図５】
2019126538.tif 000007
【図６】
2019126538.tif 000008
【図７】
2019126538.tif 000009
【図８】
2019126538.tif 000010
【図９】
2019126538.tif 000011